(57)【要約】【課題】本発明は、画像を速くブラウズすることができる画像ブラウズシステム及び方法を提供する。【解決手段】本発明に係る電子装置に用いられる画像ブラウズシステムは、メモリーと、プロセッサー及び表示装置を備える。前記メモリーに画像及び画像ブラウズ・プロセスが格納される。前記画像は、付加情報ファイルを有し、前記付加情報ファイルに前記画像のサムネイルが予め設置され、且つ前記サムネイルの解像度は、前記表示装置の緩衝領域に緩衝格納することができる画像の最高解像度である。前記プロセッサーは、前記画像ブラウズ・プロセスを制御することができる。前記画像ブラウズ・プロセスは、前記画像の付加情報ファイルの中のサムネイルを検索することに用いられるサムネイル検索モジュール及び前記電子装置を制御して前記表示装置に前記サムネイルを表示することに用いられる表示モジュールを備える。又、本発明は、画像ブラウズ方法を提供する。【選択図】図１
2009105899.tif 000002
【特許請求の範囲】
【請求項１】
電子装置に用いられ、且つメモリーと、プロセッサー及び表示装置を備える画像ブラウズシステムであって、前記メモリーに画像及び画像ブラウズ・プロセスが格納され、前記画像は、付加情報ファイルを有し、前記付加情報ファイルに前記画像のサムネイルが予め設置され、且つ前記サムネイルの解像度は、前記表示装置の緩衝領域に緩衝格納することができる画像の最高解像度であって、前記プロセッサーは、前記画像ブラウズ・プロセスを制御することができ、前記画像ブラウズ・プロセスは、前記画像の付加情報ファイルの中のサムネイルを検索することに用いられるサムネイル検索モジュール及び前記電子装置を制御して前記表示装置に前記サムネイルを表示することに用いられる表示モジュールを備えることを特徴とする画像ブラウズシステム。
【請求項２】
前記電子装置は、ビデオカメラ、デジタルカメラ及び撮影機能を持つ携帯電話であることを特徴とする請求項１に記載の画像ブラウズシステム。
【請求項３】
前記画像ブラウズシステムは、前記画像の付加情報ファイルにサムネイルを予め設置する圧縮格納プロセスをさらに備えることを特徴とする請求項１に記載の画像ブラウズシステム。
【請求項４】
前記圧縮格納プロセスは、
前記電子装置の中の画像を読み込む画像読み込みモジュールと、
前記読み込んだ画像を複製する複製モジュールと、
前記複製した画像に対して圧縮処理を行って、解像度が前記表示装置の緩衝領域に緩衝格納することができる画像の最高解像度であるサムネイルを生成する圧縮モジュールと、
前記サムネイルを前記画像読み込みモジュールが読み込んだ画像の付加情報ファイルに格納する格納モジュールと、
を備えることを特徴とする請求項３に記載の画像ブラウズシステム。
【請求項５】
前記電子装置の中の画像は、前記電子装置が撮影した画像であることを特徴とする請求項４に記載の画像ブラウズシステム。
【請求項６】
前記画像の付加情報ファイルは、交換可能なイメージ・ファイルであることを特徴とする請求項１に記載の画像ブラウズシステム。
【請求項７】
電子装置に用いられ、前記電子装置に格納した画像が付加情報ファイルを有し、前記付加情報ファイルに前記画像のサムネイルを有し、前記サムネイルの解像度が前記電子装置が表示することができる画像の最高解像度である画像ブラウズ方法は、
前記電子装置に格納した画像の付加情報ファイルの中のサムネイルを検索するステップと、
前記電子装置を制御して前記サムネイルを表示するステップと、
を備えることを特徴とする画像ブラウズ方法。
【請求項８】
前記電子装置に格納した画像の付加情報ファイルの中のサムネイルを検索するステップにおいて、前記画像の交換可能なイメージ・ファイルの中のサムネイルを検索することを特徴とする請求項７記載の画像ブラウズ方法。
【請求項９】
前記サムネイルを検索する方法は、
前記電子装置の中の画像を読み込むステップと、
前記撮影した画像を複製するステップと、
前記複製した画像を圧縮して、圧縮された画像の解像度が前記表示装置の緩衝領域に緩衝格納することができる画像の最高解像度になるようにするステップと、
前記圧縮された画像を前記撮影した画像の付加情報ファイルに格納するステップと、
を備えることを特徴とする請求項７記載の画像ブラウズ方法。
【請求項１０】
前記電子装置の中の画像は、前記電子装置が撮影した画像であることを特徴とする請求項９記載の画像ブラウズ方法。
【発明の詳細な説明】
【技術分野】
【０００１】
本発明は、電子装置に用いられる画像ブラウズシステム及び方法に関するものである。
【背景技術】
【０００２】
従来のビデオカメラ又はデジタルカメラが画像ブラウズ機能を執行する時、先ずブラウズしようとする画像をメモリーから取り出して緩衝メモリーに置き、続いてデジタル・シグナル・プロセッサーから圧縮処理を行って、圧縮された画像のサイズと前記ビデオカメラ又は前記デジタルカメラのスクリーンのサイズが同じになり、それから画像を表示する。
【０００３】
使用者が画像をブラウズする度に、上述の操作を必要とするため、ブラウズ速度が非常に遅く、使用者に極大な不便をもたらす。
【発明の開示】
【発明が解決しようとする課題】
【０００４】
本発明の目的は、前記課題を解決し、画像を速くブラウズすることができる画像ブラウズシステム及び方法を提供することである。
【課題を解決するための手段】
【０００５】
前記目的を達成するため、本発明に係る電子装置に用いられる画像ブラウズシステムは、メモリーと、プロセッサー及び表示装置を備える。前記メモリーに画像及び画像ブラウズ・プロセスが格納される。前記画像は、付加情報ファイルを有し、前記付加情報ファイルに前記画像のサムネイルが予め設置され、且つ前記サムネイルの解像度は、前記表示装置の緩衝領域に緩衝格納することができる画像の最高解像度である。前記プロセッサーは、前記画像ブラウズ・プロセスを制御することができる。前記画像ブラウズ・プロセスは、前記画像の付加情報ファイルの中のサムネイルを検索することに用いられるサムネイル検索モジュール及び前記電子装置を制御して前記表示装置に前記サムネイルを表示することに用いられる表示モジュールを備える。
【０００６】
前記目的を達成するため、前記電子装置に格納した画像が付加情報ファイルを有し、前記付加情報ファイルに前記画像のサムネイルを有し、前記サムネイルの解像度が前記電子装置が表示することができる画像の最高解像度である本発明に係る画像ブラウズシステムの画像ブラウズ方法は、前記電子装置に格納した画像の付加情報ファイルの中のサムネイルを検索するステップと、前記電子装置を制御して前記サムネイルを表示するステップを備える。
【発明の効果】
【０００７】
本発明の画像ブラウズシステム及び方法は、画像の付加情報ファイルに画像のサムネイルを予め設置することにより、ブラウズする時、直接にサムネイルをユーザーに表示し、画像を再び圧縮するステップを必要としなく、時間を節約し、画像ブラウズ速度を高める。
【発明を実施するための最良の形態】
【０００８】
以下、添付図面を参照しながら本発明を詳しく説明する。
【０００９】
図１は、本発明の実施形態に係る画像ブラウズシステムのハードウェア構造を示す図である。前記画像ブラウズシステムは、ビデオカメラ、デジタルカメラ及び撮影機能を持つ携帯電話などの電子装置に応用される。本実施形態において、前記電子装置は、デジタルカメラである。前記画像ブラウズシステムは、メモリー１、プロセッサー２及び表示装置３を備える。
【００１０】
前記表示装置３に緩衝領域がある。前記緩衝領域は、表示しようとする画像を緩衝格納することに用いられるため、画像の最高解像度、即ち前記表示装置３が表示する画像の最高解像度、前記電子装置が表示する画像の最高解像度を緩衝格納することができる。
【００１１】
前記メモリー１に画像、画像ブラウズ・プロセス１０及び圧縮格納プロセス２０を格納する。前記画像は、前記電子装置が撮影した画像又は他の方式でメモリーに格納した画像である。前記画像の付加情報ファイルに前記画像のサムネイルを予め設置し、且つ前記サムネイルの解像度と前記表示装置３の緩衝領域に緩衝格納することができる画像の最高解像度が同じである。前記画像の付加情報ファイルは、画像の交換可能なイメージ・ファイル（ｅｘｃｈａｎｇｅａｂｌｅ  ｉｍａｇｅ  ｆｉｌｅ  ｆｏｒｍａｔ，ＥＸＩＦ）である。本実施形態において、前記メモリー１に一枚の人物写真が格納されており、前記人物写真の解像度は、１２８０×９６０であるが、前記表示装置３の緩衝領域に緩衝格納することができる画像の最高解像度は、３２０×２４０であるため、前記人物写真の交換可能なイメージ・ファイルにおける前記人物写真のサムネイルの解像度も３２０×２４０である。
【００１２】
前記プロセッサー２は、前記画像ブラウズ・プロセス１０及び前記圧縮格納プロセス２０を制御することができる。前記プロセッサー２は、前記画像ブラウズ・プロセス１０を制御して、前記表示装置３を制御して前記サムネイルを表示し、従って画像ブラウズ機能を実現する。前記圧縮格納プロセス２０は、前記画像のサムネイルを予め設置することに用いられる。
【００１３】
図２は、本発明の画像ブラウズ・プロセス１０の機能を示すブロック図である。前記画像ブラウズ・プロセス１０は、サムネイル検索モジュール１１と表示モジュール１２を備える。
【００１４】
前記サムネイル検索モジュール１１は、前記メモリー１に格納した画像の付加情報ファイルの中のサムネイルを検索することに用いられる。本実施形態において、前記サムネイル検索モジュール１１は、前記メモリー１の中の人物写真のサムネイルを検索する。
【００１５】
前記表示モジュール１２は、前記電子装置を制御して、前記表示装置３に前記サムネイルを表示することに用いられる。本実施形態において、前記表示モジュール１２は、前記電子装置を制御して、前記表示装置３に前記人物写真のサムネイルを表示する。
【００１６】
図３は、前記圧縮格納プロセス２０の機能を示すブロック図である。前記圧縮格納プロセス２０は、画像読み込みモジュール２１、複製モジュール２２、圧縮モジュール２３及び格納モジュール２４を備える。
【００１７】
前記画像読み込みモジュール２１は、前記電子装置が撮影した画像を読み込むことに用いられる。使用者が本発明の画像ブラウズシステムを有する電子装置で画像を撮影すると、前記画像読み込みモジュール２１は、前記撮影した画像を読み込む。本実施形態において、使用者が本発明の画像ブラウズシステムを有するデジタルカメラで人物写真を写し、前記人物写真の解像度が１２８０×９６０であって、前記人物写真を写してから、前記画像読み込みモジュール２１が前記人物写真を読み込む。
【００１８】
前記複製モジュール２２は、前記読み込んだ画像を複製することに用いられる。前記画像読み込みモジュール２１が画像を読み込んでから、前記複製モジュール２２は、前記電子装置のメモリーから前記読み込んだ画像と同じ画像を複製する。本実施形態において、前記複製モジュール２２は、前記デジタルカメラのメモリーから人物写真を一枚複製する。
【００１９】
前記圧縮モジュール２３は、前記複製した画像に対して圧縮処理を行ってサムネイルを生成することに用いられ、前記サムネイルの解像度は、前記表示装置３の緩衝領域に格納することができる画像の最高解像度である。本実施形態において、前記圧縮モジュール２３は、前記複製した人物写真に対して圧縮処理を行って、前記人物写真を解像度が３２０×２４０であるサムネイルに圧縮する。
【００２０】
前記格納モジュール２４は、前記サムネイルを前記画像読み込みモジュール２１が読み込んだ画像の付加情報ファイルに格納することに用いられる。本実施形態において、前記格納モジュール２４は、前記圧縮モジュール２３が生成した解像度が３２０×２４０であるサムネイルを前記電子装置が写した人物写真の交換可能なイメージ・ファイルに格納する。
【００２１】
図４は、前記電子装置の画像ブラウズシステムの画像ブラウズ方法を示すフローチャートである。前記画像ブラウズ方法は、以下のステップを備える。
【００２２】
ステップＳ１１：格納した画像の付加情報ファイルの中のサムネイルを検索する。本実施形態において、前記メモリー１に画像が格納されており、且つ前記画像の交換可能なイメージ・ファイルに前記画像のサムネイルが予め設置されており、且つ前記サムネイルの解像度は、前記表示装置３の緩衝領域に緩衝格納することができる画像の最高解像度であって、前記サムネイル検索モジュール１１は、前記メモリー１から前記サムネイルを検索する。
【００２３】
ステップＳ２３：前記電子装置を制御して前記サムネイルを表示する。本実施形態において、前記表示モジュール１２が前記電子装置を制御して、前記表示装置３の画像表示領域に前記サムネイルを表示する。
【００２４】
本実施形態は、画像の付加情報ファイルにサムネイルを予め設置する方法も提供する。図５を参照すると、サムネイルを設置する方法は、以下のステップを備える。
【００２５】
ステップＳ３３：前記電子装置が撮影した画像を読み込む。本実施形態において、使用者が電子装置で一枚の画像を撮影すると、前記画像読み込みモジュール２１が前記撮影した画像を読み込む。
【００２６】
ステップＳ３５：前記撮影した画像を複製する。本実施形態において、前記複製モジュール２２は、前記画像読み込みモジュール２１が読み込んだ画像を複製する。
【００２７】
ステップＳ４１：前記複製した画像を圧縮して、圧縮された画像の解像度が前記表示装置３の緩衝領域に格納することができる画像の最高解像度になるようにする。本実施形態において、前記圧縮モジュール２３が前記複製した画像を圧縮してサムネイルを生成し、且つ前記サムネイルの解像度は、前記表示装置３の緩衝領域に緩衝格納することができる画像の最高解像度である。
【００２８】
ステップＳ５３：前記圧縮された画像を前記撮影した画像の付加情報ファイルに格納する。本実施形態において、前記格納モジュール２４は、前記サムネイルを前記撮影した画像の交換可能なイメージ・ファイルに格納する。
【００２９】
従来の技術と比べて、前記画像ブラウズシステム及び方法は、画像の付加情報ファイルに画像のサムネイルを予め設置することにより、ブラウズする時、直接にサムネイルを検索してユーザーに表示し、画像を圧縮するステップを必要としなく、時間を節約し、画像ブラウズ速度を高める。
【００３０】
以上本発明を実施例に基づいて具体的に説明したが、本発明は、上述の実施例に限定されるものではなく、その要旨を逸脱しない範囲において、種種変更可能であることは勿論であって、本発明の保護範囲は、以下の特許請求の範囲から決まる。
【図面の簡単な説明】
【００３１】
【図１】本発明の実施形態に係る画像ブラウズシステムのハードウェア構造を示す図である。
【図２】本発明の実施形態に係る画像ブラウズ・プロセスの機能を示すブロック図である。
【図３】本発明の実施形態に係る圧縮格納プロセスの機能を示すブロック図である。
【図４】本発明の実施形態に係る画像ブラウズ方法を示すフローチャートである。
【図５】本発明の実施形態に係る画像のサムネイルを予め設置する方法を示すフローチャートである。
【符号の説明】
【００３２】
１  メモリー
２  プロセッサー
３  表示装置
１０  画像ブラウズ・プロセス
１１  サムネイル検索モジュール
１２  表示モジュール
２０  圧縮格納プロセス
２１  画像読み込みモジュール
２２  複製モジュール
２３  圧縮モジュール
２４  格納モジュール
【図１】
2009105899.tif 000003
【図２】
2009105899.tif 000004
【図３】
2009105899.tif 000005
【図４】
2009105899.tif 000006
【図５】
2009105899.tif 000007